(57)【要約】【課題】  有機ＥＬ素子の駆動手段を提供する。【課題を解決するための手段】  本発明の表示装置の駆動回路は、複数の走査線と、複数のデータ線と、複数の走査線と複数のデータ線との交点に有機ＥＬ素子を含む画素をマトリクス状に配置した表示装置の駆動回路において、表示装置に入力される画像データを記憶する記憶手段と、有機ＥＬ素子の輝度特性に適合するように複数の電圧を発生する電圧発生手段と、画像データに応じて、複数の電圧から１つの電圧を選択する選択手段と、データ線を駆動する少なくとも電流源を含む駆動手段とを備え、選択手段で選択された１つの電圧を電流源に供給して生成される電流でデータ線を駆動することを特徴とする。【選択図】  図７
2006126865.tif 000002
【特許請求の範囲】
【請求項１】
複数の走査線と、複数のデータ線と、前記複数の走査線と前記複数のデータ線との交点に有機ＥＬ素子を含む画素をマトリクス状に配置した表示装置の駆動回路において、
前記表示装置に入力される画像データを記憶する記憶手段と、
前記有機ＥＬ素子の輝度特性に適合するように複数の電圧を発生する電圧発生手段と、
前記画像データに応じて、前記複数の電圧から１つの電圧を選択する選択手段と、
前記データ線を駆動する少なくとも電流源を含む駆動手段と、
を備え、前記選択手段で選択された１つの電圧を前記電流源に供給して生成される電流で前記データ線を駆動することを特徴とする表示装置の駆動回路。
【請求項２】
前記第1電流源は、単一のトランジスタで構成され、前記選択手段で選択された１つの電圧を前記単一のトランジスタのゲートに供給して生成される電流で前記データ線を駆動することを特徴とする請求項１記載の表示装置の駆動回路。
【請求項３】
前記駆動手段は、補正データに応じて前記第１電流源の電流ばらつきを補正する第２電流源をさらに備えることを特徴とする請求項１記載の表示装置の駆動回路。
【請求項４】
前記第２電流源は、補正データに応じて前記選択手段で選択された１つの電圧又はソース電圧を選択する補正選択回路をさらに備えることを特徴とする請求項３記載の表示装置の駆動回路。
【請求項５】
前記第２電源は、重み付けされた複数の電流源で構成されることを特徴とする請求項３記載の表示装置の駆動回路。
【請求項６】
前記複数のデータ線に応じて設けられる複数の第１電流源の中から電流が最大または最小となる基準電流源を選択し、前記基準電流源と前記基準電流源以外の第１の電流源との電流差を補正データとして記憶する補正データ記憶手段をさらに備えることを特徴とする請求項１記載の表示装置の駆動回路。
【発明の詳細な説明】
【技術分野】
【０００１】
この発明は、表示装置の駆動回路に関し、特に出力精度が要求される有機ＥＬなど自発光型の表示装置の駆動回路に関する。
【背景技術】
【０００２】
近年、携帯電話を初めとする情報電子機器が、世の中に広く用いられていることは、周知の事実である。また、情報電子機器が、その表示機器として、有機ＥＬなど自発光型の表示装置を有していることもよく知られている。このような有機ＥＬなど自発光型の表示装置の代表的なものの一つであるマトリクス型表示装置も、周知である。
【０００３】
このようなマトリクス型表示装置として、例えば、図２１または図２２に示すような表示装置も知られている。
【０００４】
図２１に記載の上述した従来のマトリクス型表示装置２１００は、データ線駆動回路２１０３に接続される複数のデータ線（図示していない）と、走査線側駆動回路２１０２に接続された複数の走査線とを有し、その各交点には、液晶や有機ＥＬなどを備える有機ＥＬパネル２１０１を有する構成である。
【０００５】
図１７は、能動素子にＴＦＴ１７０３を用いたＴＦＴ液晶セル１７０１の等価回路図で透過率を電圧で制御する。図１８は、２個のＴＦＴ（１８０３，１８０６）を使用した有機ＥＬセル１８０１の等価回路図で、輝度を電圧で制御する。図１９は、単純マトリクス型有機ＥＬセル１９０１の等価回路図、図２０は4個のＴＦＴ（２００３，２００６，２００８，２００９）を使用した有機ＥＬセル２００１の等価回路図で、輝度を電流で制御する。
【０００６】
従来のマトリクス型表示装置の電圧制御型のデータ駆動回路１４００は、階調電圧発生回路１で発生する複数の電圧（図１４を参照）を、階調電圧選択回路２で、画像データに応じて１電圧値を選択し、増幅器４を介してデータ線を駆動している。
【０００７】
階調電圧選択回路２は、画像データのビット数が多くなると、ビット数に比例してそのチップ占有面積が大きくなるので、構成素子の面積を小さくするためインピーダンスが高くなる。そのため、階調電圧選択回路２で選択した電圧を増幅器４でインピーダンス変換しデータ線を駆動している。
【０００８】
液晶表示装置では、駆動電圧範囲は３〜５Ｖで、画像データは、携帯電話などでは４〜６ビットが一般的である。
【０００９】
また、電流制御型のデータ駆動回路は、図１５に示すような重み付けした複数の電流源３１でデータ線を駆動する。
【００１０】
表示装置のデータ駆動回路は、一般に集積化され、表示装置の水平方向のデータ線数と同じ出力端子数を有する。または、図２２に示すように、１つのデータ駆動回路に複数のデータ線を並列に接続した場合には、表示装置のデータ駆動回路は、画素数／並列数の出力端子数を備え、その出力端子数は数十から数千以上になる。半導体製造装置などでは、製造ばらつきにより電圧ばらつきや電流ばらつきを生じる。
【００１１】
そのため、特開平４−１４２５９１号公報には、液晶表示装置のデータ駆動回路の出力電圧ばらつきを低減するために、出力電圧ばらつきを補正するデータをあらかじめ記憶手段に記憶させておき、映像信号にクロック信号と同期した記憶手段のデータを加算した信号によって液晶を駆動することで出力電圧ばらつきを低減する方法が提案されている。
【発明の開示】
【発明が解決しようとする課題】
【００１２】
しかしながら、特開平４−１４２５９１号公報に記載の液晶表示装置のデータ駆動回路のように、画像データと補正データを加算する方式だと以下の問題を生じる。
【００１３】
液晶表示装置では、液晶の表示むらが認識できる電圧差は約５ｍＶ程度である。これは、液晶の駆動電圧範囲が３Ｖの場合、３０００ｍＶ／５ｍＶ＝６００で９ビット（５１２値）以上の精度を必要とする。つまり、駆動回路の電圧ばらつきを補正するには、補正データは９ビット以上必要となる。
【００１４】
画像データが６ビットの場合でも、加算回路以降の回路は９ビット以上となるため、データ駆動回路の回路規模が大きくなる。
【００１５】
また、液晶の電圧−透過率特性（図１２）や、有機ＥＬの電圧−輝度特性（図１３）は、非線型のため、電圧に応じて補正量が異なるため、単純に画像データと補正データを加算することができないので、画像データごとの補正データが必要となり、補正データ記憶回路がさらに膨大となる。
【００１６】
有機ＥＬ表示装置では、輝度−電流特性に線形性があるため、複数の重み付けした電流源で駆動している。この場合、特開平４−１４２５９１号公報から
容易に推測できるように、出力電流ばらつきを補正するデータをあらかじめ記憶して、電流値を補正する方法が考えられるが、重み付けした電流源は、それぞれ独立してばらつくため、単調増加性が失われる場合があり、それぞれの画像データのビットごとに補正データが必要になるため、補正データ記憶回路が膨大になる。
【００１７】
さらに、あらかじめ駆動回路のばらつきを補正データとして記憶するために製造時点でのばらつきをＲＯＭなどに記憶することになるため、使用条件の変化（温度変化や経時変化）に対してばらつきを補正することができない。
【課題を解決するための手段】
【００１８】
本発明の表示装置の駆動回路は、複数の走査線と、複数のデータ線と、複数の走査線と複数のデータ線との交点に有機ＥＬ素子を含む画素をマトリクス状に配置した表示装置の駆動回路において、表示装置に入力される画像データを記憶する記憶手段と、有機ＥＬ素子の輝度特性に適合するように複数の電圧を発生する電圧発生手段と、画像データに応じて、複数の電圧から１つの電圧を選択する選択手段と、データ線を駆動する少なくとも電流源を含む駆動手段とを備え、選択手段で選択された１つの電圧を電流源に供給して生成される電流でデータ線を駆動することを特徴とする。
【発明の効果】
【００１９】
以上説明したように、本発明によれば、表示装置の縦線むらの原因であるデータ駆動回路の電圧ばらつきや電流ばらつきを、２乃至４ビット程度の少ない補正データで製造ばらつきだけでなく経時変化や温度変化によるばらつきも補正することができるため、表示むらのない良好な表示を得ることができる。
【発明を実施するための最良の形態】
【００２０】
次に、本発明について図面を参照して説明する。
【００２１】
図１は、本発明の第１の実施の形態の表示装置のデータ駆動回路を概略的に示すブロック図である。
【００２２】
本発明の第１の実施の形態の表示装置のデータ駆動回路１００は、複数の抵抗を直列に接続した抵抗ストリング回路（図示なし）で構成され、液晶などのガンマ特性に合わせた複数の電圧値を発生する階調電圧発生回路１と、表示装置に表示される画像データを記憶する画像データ記憶回路３と、複数のアナログスイッチ（図示なし）で構成され、階調電圧発生回路１で発生した複数の電圧値から画像データ記憶回路３に記憶されたデジタルデータに応じて、１値を選択する階調電圧選択回路２と、画像データに応じて選択された電圧を受け、所定の電圧で液晶などのデータ線を駆動する増幅器４と、増幅器４の電圧ばらつきを検出する電圧検出回路７と、増幅器４の電圧ばらつきの状態を記憶する補正データ記憶回路６と、増幅器４の出力電圧ばらつきを補正する電圧補正回路５とを備える。
【００２３】
より詳細に説明すると、本発明の第１の実施の形態の表示装置のデータ駆動回路１００の階調電圧発生回路１は、液晶などのガンマ特性に合わせた複数の電圧値を発生する回路で、複数の抵抗を直列に接続した抵抗ストリング回路（図示なし）で構成される。カラー有機ＥＬ表示装置では、赤色、緑色、青色で駆動電圧が異なるため、階調電圧発生回路１はそれぞれの色ごとに必要になる。
【００２４】
本発明の第１の実施の形態の表示装置のデータ駆動回路１００の階調電圧選択回路２は、階調電圧発生回路１で発生した複数の電圧値から、画像データ記憶回路３に記憶されたデジタルデータに応じて、１値選択する回路で、複数のアナログスイッチで構成される（図示なし）。画像データ記憶回路３は、周知のラッチ回路やＲＡＭなどで構成される。
【００２５】
画像データは、シフトレジスタ回路（図示なし）などでクロック信号などに同期して順次画像データ記憶回路３に記憶される。
【００２６】
画像データに応じて選択された電圧は、増幅器４に入力され、所定の電圧で液晶などのデータ線を駆動する。
【００２７】
マトリクス型表示装置では、１７６×２４０画素の場合、カラー表示だと１７６ライン×３（ＲＧＢ）の５２８個のデータ線があり、データ線を駆動する回路が複数個必要になり、半導体集積回路や低温ポリシリコンなどのようにガラス基板上に回路を製造する場合、製造ばらつきにより、増幅器４の出力電圧値がばらつく。
【００２８】
本発明では、さらに、その増幅器４の電圧ばらつきを検出する電圧検出回路７を備え、増幅器４の電圧ばらつきの状態を補正データ記憶回路６（ラッチ回路など）に記憶し、電圧補正回路５で増幅器の出力電圧ばらつきを補正する。
【００２９】
次に、図２または図４を参照して、本発明の第１の実施の形態の表示装置のデータ駆動回路１００の各増幅器の電圧補正の方法について、補正データが１ビットの場合の例を説明する。
【００３０】
電圧補正回路５は、一方の差動入力トランジスタＱ２に補正トランジスタＱ３を並列に接続し、補正データに応じて補正トランジスタＱ３のゲート電圧を制御して増幅器４のオフセット電圧を補正する。この場合の補正は増幅器のオフセット電圧を理想値にするのではなく、オフセット電圧が最大の増幅器に近づける。
【００３１】
補正データが０の場合、補正トランジスタＱ３のソース電圧がゲート電極に印加され補正トランジスタは非活性状態となり電流は流れない。補正データが１の場合、階調電圧選択回路で選択した電圧が補正トランジスタＱ３のゲート電極に印加され補正トランジスタは活性状態となり電流Ｉ３が流れる。このように増幅器の差動段に流れる電流値を可変して増幅器のオフセット電圧を制御することができる。ここでは、補正トランジスタが１個の場合を例に説明したが、重み付けした複数個の補正トランジスタをトランジスタＱ２に並列に接続してもよい。
【００３２】
次に、増幅器４の電圧ばらつき検出時の回路を図５に示す。各増幅器の出力端子をデータ線および２つのスイッチに接続する。２つのスイッチの一方は基準線１１（Ｃ１，Ｃ３，Ｃ５）に、他方は比較線１２（Ｃ２，Ｃ４，Ｃ６）に接続する。基準線１１と比較線１２は、図６に示すようにＡ／Ｄ変換回路１３とコンパレータ１４に接続する。
【００３３】
各増幅器の相対電圧ばらつきの検出は、すべての増幅器が同じ電圧を出力するように同一の画像データ（液晶なら灰色表示、有機ＥＬなら全白表示など）を画像データ記憶回路に転送する。
【００３４】
次に、コンパレータ１４で、２つの増幅器の電圧値を比較して、電圧が大きい方の増幅器を基準線１１に接続するようにスイッチ制御回路１０で制御する。これを（増幅器数−１）回繰り返すことによって、オフセット電圧が最大の増幅器が選ばれる。コンパレータ１４で、最大オフセット電圧または最小オフセット電圧となる増幅器を選択する理由は、電圧補正回路５の構成を簡単にするためである。
【００３５】
各増幅器の出力電圧値は、理想電圧値（オフセット電圧が０）に対してプラスまたはマイナス方向にばらつく。各増幅器の電圧ばらつきを理想電圧値に近づけるためには、２つの差動入力段に流れる両方の電流値を可変することになり、差動入力段の両方に電圧補正回路が必要になる。
【００３６】
このように、補正データを検出する前にオフセット電圧が最大となる増幅器を選ぶことによって、一方の差動入力段に流れる電流だけを調整すればよいため電圧補正回路が簡単になる。
【００３７】
次に、最大オフセット電圧値となる増幅器を基準に各増幅器の出力電圧の差をＡ／Ｄ変換回路１３で検出し、検出したデジタルデータを補正データ記憶回路６に記憶する。補正データのビット数は、増幅器の電圧ばらつきの実力値と、表示むらが人間の目で認識できる電圧差の値によって決定される。
【００３８】
液晶表示装置では、約５ｍＶ以下の電圧差であれば、表示むらは認識できないので、分解能を５ｍＶ程度とする。製造ばらつきなどにより増幅器のオフセット電圧が最大２０ｍＶばらつく場合、補正ビット数は２ビット（０，５，１０，１５ｍＶの４段階の補正量）でよい。
【００３９】
製造ばらつきが大きい時は、さらに補正データのビット数を増やせばよい。このように、補正データが２ビットでも増幅器の電圧ばらつきを十分に補正することができる。有機ＥＬでは、液晶表示装置より人間の目で表示むらが認識できる電圧差が小さいので、補正ビットは３ビット程度必要となる。
【００４０】
１出力あたりの補正データを検出する時間は、増幅器の出力が安定するまでの時間が最低必要で小型の液晶パネル用では約１０μｓ程度である。
【００４１】
全出力の補正データを検出する時間は、（コンパレータで比較する時間＋Ａ／Ｄ変換する時間）×出力数になるため（１０μｓ＋１０μｓ）×出力数分になる。コンパレータとＡ／Ｄ変換回路がそれぞれ１個の場合、２０μｓ×５２８＝１０．５６ｍｓかかるが、コンパレータとＡ／Ｄ変換回路をそれぞれ赤色、青色、緑色ごとにすることで３．５２ｍｓ程度まで短くできる。
【００４２】
補正データを検出するタイミングは電源投入時に、補正信号（図５のｃａｌ信号）に信号を自動的に入力することで使用条件（温度など）の変化に対して補正することができる。
【００４３】
補正データ検出中の表示エラーは、有機ＥＬなど自発光型の場合、陽極電圧の投入時間を遅らせることで回避できる。透過型液晶表示では、バックライトの点灯を遅らせればよい。
【００４４】
反射型液晶表示装置では、補正データ検出中に表示エラーが生じる可能性があるが、走査線の駆動をすべての走査線が非選択状態で停止すれば表示されないので、電源投入から検出完了まで走査線の駆動を非選択状態で停止することで表示エラーを回避できる。補正データの検出は、電源投入時点だけでなく任意の時間にしてもよい。
【００４５】
次に、本発明の第２の実施の形態の表示装置のデータ駆動回路について説明する。図７は、本発明の有機ＥＬなど電流駆動型表示装置のデータ駆動回路のブロック図、図８は図７の詳細図で、補正データが２ビットの場合を例に説明する。
【００４６】
本発明の第２の実施の形態の表示装置のデータ駆動回路と従来技術との違いは、データ線を駆動する電流源が１つである点である（以下この電流源を主電流源と呼ぶ）。
【００４７】
本発明の第２の実施の形態の表示装置のデータ駆動回路の主電流源２１は、図８に示すような１個のトランジスタ（２１−１）で構成され、主電流源２１の電流値Ｉｘは、トランジスタ（２１−１）に印加するゲート電圧で制御される。従来、複数の電流源で駆動していたため、単調増加性の確保が難しかったが、電流源を１つにすることで単調増加性が確保される。
【００４８】
有機ＥＬでは、輝度と電流は線形性があるが、輝度と電圧は非線形であるため、階調電圧発生回路１で有機ＥＬの輝度特性に合うように複数の電圧値を発生させ、階調電圧選択回路２で１値選択して電流源に印加する。
【００４９】
本発明には、主電流源の電流ばらつきを補正するために重み付けした複数の補正電流源２３があり、主電流源の電流ばらつきを電流検出回路２４で検出し、補正データで補正電流源２３を制御しデータ線に流れる電流値を補正する。
【００５０】
補正データが０の場合、図８の補正選択回路２２のスイッチ端子（２２−１、２２−３）側に接続することで、補正電流源２３のトランジスタ（２３−１）およびトランジスタ（２３−１）のそれぞれのゲートにソース電圧が印加され電流源は非活性状態となる。補正データが１の場合、図８の補正選択回路２２のスイッチ端子（２２−２、２２−４）側に接続することで、補正電流源２３のランジスタ（２３−１）およびトランジスタ（２３−１）のそれぞれのゲートに階調電圧選択回路２で選択した電圧が印加され、補正電流源２３は活性状態となり、主電流源２１に対して所定の率の電流値が流れる。
【００５１】
補正電流源２３の電流値は、主電流源２１の電流値に対し数％になるように設定される。主電流源２１のドレインと補正電流源２３のドレインはデータ線にそれぞれ接続されており、主電流源２１の電流と補正電流源２３の電流を加算することで、補正された電流値でデータ線を駆動する。
【００５２】
次に、補正データの検出方法について説明する。ここでも第１の実施の形態と同様に、最大電流値となる主電流源をコンパレータ１３で選択し、最大電流値となる主電流源に対して各主電流源の電流ばらつき状態を補正データとして記憶する。
【００５３】
このように最大電流値の主電流源を基準に他の主電流源の電流値を補正することで、主電流源の電流値に補正電流源の電流値を加算するだけ（減算する回路がいらない）なので補正電流源の回路構成が簡単になる。有機ＥＬの陽極、陰極が逆になる場合は、最小電流値となる主電流源を基準にし、補正電流源で電流値を減算すればよい。
【００５４】
次に、補正データのビット数について説明する。電流駆動型の有機ＥＬ表示装置で、１階調あたり２０ｎＡ程度流す場合、人間の目で表示むらが認識できない程度に電流値を補正するには、分解能を少なくとも１０ｎＡ程度にする必要がある。
【００５５】
画像データが６ビット（６４階調表示）では、最大電流２０ｎＡ×６４＝１，２８０ｎＡの電流を流すことになるが、電流ばらつきは５％以上ばらつくことがある。
【００５６】
これを補正するには、補正データを３ビットで分解能を主電流源の電流値の１％（１２．８ｎＡ）程度にすれば、０〜７％の範囲（８段階）で補正が可能である。電流ばらつきが７％以上の場合、補正データのビット数を増やすか、分解能を１％以上にするなど変更すればよい。
【００５７】
補正電流源が複数のトランジスタから構成されるので、補正電流源の単調増加性が失われる可能性があるが、主電流源の電流ばらつき量（１，２８０ｎＡ×５％＝６４ｎＡ）に比べれば、補正電流源の電流ばらつき量（１，２８０ｎＡ×７％×５％＝４．４８ｎＡ）は小さく、人間の目で表示むらが認識できない電流値となるので問題ない。
【００５８】
次に、本発明の第３の実施の形態の表示装置のデータ駆動回路について説明する。図９は、本発明の有機ＥＬなど電流駆動型表示装置の別のデータ駆動回路の詳細図である。
【００５９】
本発明の第３の実施の形態の表示装置のデータ駆動回路と本発明の第２の実施の形態の表示装置のデータ駆動回路との違いは、主電流源と補正電流源のゲート電圧をスイッチ２６とコンデンサ２５で構成するサンプル・ホールド回路に保持する点である。
【００６０】
本発明の第２の実施の形態の表示装置のデータ駆動回路は、各駆動回路ごとに階調電圧選択回路で選択した電圧を電流源のゲートに印加していたが、サンプル・ホールド回路にすることで、階調電圧を保持することができ、各駆動回路ごとあった画像データ記憶回路
および階調電圧選択回路の削減ができる。
【００６１】
本発明の第２の実施の形態の表示装置のデータ駆動回路例に比べ、本発明の第３の実施の形態の表示装置のデータ駆動回路では、サンプル・ホールド回路自体の電圧ばらつきが発生するため電流ばらつきが大きくなるが、サンプル・ホールド回路の電圧ばらつきによる主電流源の電流ばらつきも本発明で同時に補正することができる。この場合、補正データのビット数を４ビット程度にすればよい。
【図面の簡単な説明】
【００６２】
【図１】本発明の第１の実施の形態の表示装置の第１のデータ駆動回路の構成を示すブロック図である。
【図２】図１に記載の本発明の第１の実施の形態の表示装置の第１のデータ駆動回路の電圧補正回路の詳細図である。
【図３】本発明の第１の実施の形態の表示装置の第２のデータ駆動回路の構成を示すブロック図である。
【図４】図３に記載の本発明の第１の実施の形態の表示装置の第２のデータ駆動回路の電圧補正回路の詳細図である。
【図５】本発明の第１の実施の形態の表示装置のデータ駆動回路の増幅器の電圧ばらつきを検出する回路図である。
【図６】本発明の第１の実施の形態の表示装置のデータ駆動回路の電圧検出回路の詳細図である。
【図７】本発明の第２の実施の形態の表示装置のデータ駆動回路の構成を示すブロック図である。
【図８】本発明の第２の実施の形態の表示装置のデータ駆動回路の構成を示すブロック図の詳細図である。
【図９】本発明の第３の実施の形態の表示装置のデータ駆動回路の構成を示すブロック図の詳細図である。
【図１０】本発明の実施の形態の表示装置のデータ駆動回路の電流源の電流ばらつきを検出する電流検出回路図である。
【図１１】本発明の実施の形態の表示装置のデータ駆動回路の電流源の電流検出回路の詳細図である。
【図１２】液晶の透過率−電圧特性図である。
【図１３】有機ＥＬ液晶の輝度−電圧特性図である。
【図１４】従来のデータ線駆動回路（電圧駆動型）のブロック図である。
【図１５】従来のデータ線駆動回路（電流駆動型）のブロック図である。
【図１６】液晶表示装置データ線駆動回路の補正手段のブロック図である。
【図１７】ＴＦＴ液晶セルの等価回路図である。
【図１８】有機ＥＬセルの第１の等価回路図である。
【図１９】有機ＥＬセルの第２の等価回路図である。
【図２０】有機ＥＬセルの第３の等価回路図である。
【図２１】従来の表示装置の第１のマトリクス型表示装置略図である。
【図２２】従来の表示装置の第２のマトリクス型表示装置略図である。
【符号の説明】
【００６３】
１    階調電圧発生回路
２    階調電圧選択回路
３    画像データ記憶回路
４    増幅器
５    電圧補正回路
６    補正データ記憶回路
７    電圧検出回路
９    選択スイッチ
１０    ＳＷ制御回路
１１    基準線
１２    比較線
１３    Ａ／Ｄ変換回路
１４    コンパレータ
２１    主電流
２２    補正選択回路
２３    補正電流源
１００，３００，７００，１４００    表示装置のデータ駆動回路
【図１】
2006126865.tif 000003
【図２】
2006126865.tif 000004
【図３】
2006126865.tif 000005
【図４】
2006126865.tif 000006
【図５】
2006126865.tif 000007
【図６】
2006126865.tif 000008
【図７】
2006126865.tif 000009
【図８】
2006126865.tif 000010
【図９】
2006126865.tif 000011
【図１０】
2006126865.tif 000012
【図１１】
2006126865.tif 000013
【図１２】
2006126865.tif 000014
【図１３】
2006126865.tif 000015
【図１４】
2006126865.tif 000016
【図１５】
2006126865.tif 000017
【図１６】
2006126865.tif 000018
【図１７】
2006126865.tif 000019
【図１８】
2006126865.tif 000020
【図１９】
2006126865.tif 000021
【図２０】
2006126865.tif 000022
【図２１】
2006126865.tif 000023
【図２２】
2006126865.tif 000024